(57)【要約】【課題】前扉の軽量化を図ると共に、前扉の開閉の操作性を向上させることができるゲーム機の施錠装置を提供する。【解決手段】鉤部材４，５を有した鉤部材ユニット１がゲーム機の筐体２８に取り付けられ、鉤部材４，５が係止される係止部１４，１５とシリンダ錠１７を有したシリンダ錠ユニット１１が前扉３０に取り付けられる。鉤部材ユニット１の基枠体２の上部と下部に鉤部材４，５が傾動可能に枢支され、上下の鉤部材４，５が基枠体２に沿って摺動可能に配設された連結杆６により連結される。連結杆６に係合部６ａが設けられ、シリンダ錠ユニット１１の基枠体１２の取付板１３にシリンダ錠１７がその錠軸を内側に入れて取り付けられる。錠軸に係合部材１８が固定され、係合部材１８には前扉の閉鎖時に連結杆６の係合部６ａと係合可能な係合凸部１８ａが設けられる。【選択図】図９
2004337415.tif 000002
【特許請求の範囲】
【請求項１】
鉤部材を有した鉤部材ユニットがゲーム機の筐体に取り付けられ、該鉤部材が係止される係止部とシリンダ錠を有したシリンダ錠ユニットが前扉に取り付けられ、該筐体に対し該前扉を閉鎖したとき、該鉤部材が該係止部に係止されて施錠されるゲーム機の施錠装置であって、
前記鉤部材ユニットの基枠体の上部と下部に前記鉤部材が傾動可能に枢支され、該上下の鉤部材が該基枠体に沿って摺動可能に配設された連結杆により連結され、該連結杆に係合部が設けられ、前記シリンダ錠ユニットの基枠体の取付板に該シリンダ錠がその錠軸を内側に入れて取り付けられ、該錠軸に係合部材が固定され、該係合部材には該前扉の閉鎖時に該連結杆の係合部と係合可能な係合凸部が設けられたことを特徴とするゲーム機の施錠装置。
【請求項２】
前記鉤部材ユニットの基枠体は、取付板を主体にして薄形に形成されたことを特徴とする請求項１記載のゲーム機の施錠装置。
【発明の詳細な説明】
【０００１】
【発明の属する技術分野】
本発明は、パチンコ機、スロットマシン等のゲーム機の前扉を筐体に対し施錠する施錠装置に関し、特に、前扉側にシリンダ錠と受け金具などをユニット化したシリンダ錠ユニットを取り付け、筐体側に鉤部材と連結杆などをユニット化した鉤部材ユニットを取り付けた構造のゲーム機の施錠装置に関する。
【０００２】
【従来の技術】
従来、パチンコ機、スロットマシンなどのゲーム機の前扉を筐体に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、一般に使用されている（例えば下記特許文献１を参照）。
【０００３】
【特許文献１】
実公昭５７−８８６７号公報
【０００４】
【発明が解決しようとする課題】
この種の施錠装置は、前扉の内側に鉤部材を筐体側に突出した状態で、取付板を介して基枠体を縦に取り付け、鉤部材が係止可能な受け金具を筐体側の対応位置に取り付け、取付板に固定したシリンダ錠の正面を前扉の正面に現して装着される。前扉の内側に鉤部材が筐体側に突出した状態で取り付けられるため、前扉を開いて、内部の電気部品などの点検を行なう際、点検作業を行う手や工具がその突出した鉤部材の先端に当たり易いという不具合があった。
【０００５】
また、周知のように、パチンコ機、スロットマシンの前扉には、装飾用プラスチック、照明装飾器具など各種の電気部品、装飾部品、操作部品などが装着されているため、施錠装置を取り付けるためのスペースが狭く制限され、さらに、各種の電気部品等を取り付けた前扉は重量が重くなり、開閉の操作性を考慮して、前扉をできるだけ軽くするように、前扉の軽量化が要望されていた。
【０００６】
本発明は、上記の点に鑑みなされたもので、前扉の軽量化を図ると共に、前扉の開閉の操作性を向上させることができるゲーム機の施錠装置を提供することを目的とする。
【０００７】
【課題を解決するための手段】
このために、本発明のゲーム機の施錠装置は、鉤部材を有した鉤部材ユニットがゲーム機の筐体に取り付けられ、鉤部材が係止される係止部とシリンダ錠を有したシリンダ錠ユニットが前扉に取り付けられ、筐体に対し前扉を閉鎖したとき、鉤部材が係止部に係止されて施錠されるゲーム機の施錠装置であって、鉤部材ユニットの基枠体の上部と下部に鉤部材が傾動可能に枢支され、上下の鉤部材が基枠体に沿って摺動可能に配設された連結杆により連結され、連結杆に係合部が設けられ、シリンダ錠ユニットの基枠体の取付板にシリンダ錠がその錠軸を内側に入れて取り付けられ、錠軸に係合部材が固定され、係合部材には前扉の閉鎖時に連結杆の係合部と係合可能な係合凸部が設けられたことを特徴とする。
【０００８】
ここで、上記請求項１の施錠装置でおいては、請求項２のように、上記鉤部材ユニットの基枠体は取付板を主体にして薄形に形成することができる。
【０００９】
【作用】
このように構成された施錠装置は、ゲーム機の前扉の内側にシリンダ錠ユニットが取り付けられ、その筐体内に鉤部材ユニットが、その鉤部材をシリンダ錠ユニット側の係止部に対応した位置に配置し、且つそのシリンダ錠の係合部材の係合凸部を連結杆の係合部に対応した位置に配置して取付けられる。
【００１０】
この施錠装置は、ゲーム機の前扉にシリンダ錠ユニットが取り付けられ、その筐体に連結杆と鉤部材を備えた鉤部材ユニットが取り付けられるため、従来の施錠装置のように受け金具以外の全ての部材を取り付けた施錠装置本体を前扉の内側に取り付ける場合に比べ、シリンダ錠ユニットの大きさ及び重さを、小形でより軽量とすることができる。これにより、前扉の全重量を軽量化することができる。
【００１１】
また、シリンダ錠ユニットの基枠体は、取付板を主体にして薄く形成することができ、これにより前扉における施錠装置を取り付けるためのスペースを最小とすることができる。また、筐体側の鉤部材ユニットも、鉤部材と連結杆を備えるのみで基枠体は取付板を主体にして薄く形成することができ、これにより前扉及び筐体内にスペースが生じ、多くの電気部品などを余裕を持って配置することができる。
【００１２】
この施錠装置では、ゲーム機の筐体に対し前扉を閉じると、シリンダ錠ユニットの上部と下部に設けた係止部が筐体側の鉤部材ユニットの鉤部材に当たりながら前進し、それにより上下の鉤部材が傾動して係止部に係止され、施錠される。このとき、シリンダ錠の錠軸に固定した係合部材の係合凸部が、鉤部材ユニット側の連結杆の係合部に対峙する位置まで進入する。解錠する際には、前扉の前面に露出するシリンダ錠の鍵穴にキーを差し込み、一方向に回すと、シリンダ錠の錠軸と係合部材が回動し、これにより、係合部を介して係合する連結杆が摺動し、上下の鉤部材が傾動して、係合部との係合を解除し、解錠される。
【００１３】
一方、シリンダ錠に差し込んだキーを他方向に回すと、係合部材の作動片がシリンダ錠ユニットの取付板に取り付けた非接触スイッチに作用し、非接触スイッチがスイッチング動作を行う。
【００１４】
【発明の実施の形態】
以下、本発明の実施例を図面に基づいて説明する。図１はスロットマシン用の施錠装置の鉤部材ユニット１の正面図、図２はその左側面図、図３はその右側面図、図４はその分解図を示している。それらの図において、２は鋼板をプレス加工して形成された縦長の基枠体であり、平板で帯状の取付板３を主体に薄形に形成され、取付板３には複数の取付孔が穿設される。取付板３の前面側の縁には、小さくＬ形に曲げるようにして曲折縁部３ａが長手方向に沿って形成され、この曲折縁部３ａは基枠体２の長手方向の曲げ強度を上げると共に、筐体２８への装着時に、前扉３０との間の隙間を閉鎖するように作用する。
【００１５】
取付板３の上部寄りに、軸ピン４ｂによって鉤部材４が上側に傾動可能に軸支され、さらに取付板３の下部寄りに、軸ピン５ｂによって鉤部材５が上側に傾動可能に軸支される。鉤部材４，５はフック状に形成され、その係止凹部を下側にして傾動可能に軸支される。また、鉤部材４，５は、基枠体２の取付板３の内側から突出せず、その平面内に位置するように軸支されている。
【００１６】
このように取付板３の平面に沿って回動可能に軸支された鉤部材４，５は、基枠体２の取付板３の取付面と平行に且つその平面内に配設されることになる。さらに、取付板３には連結杆６が上下摺動可能に配設され、連結杆６の上部は連結ピン４ａにより鉤部材４の端部に連結され、連結杆６の下部は連結ピン５ａにより鉤部材５の端部に連結される。
【００１７】
また、連結杆６にはその中間部に長孔６ｂが穿設され、その長孔６ｂにガイドピン７が挿通されて取付板３の上に固定され、これによって、連結杆６はガイドピン７にガイドされて、取付板３上をその長手方向（縦方向）に沿って上下に摺動可能とされる。なお、連結杆６は、長孔とガイドピンによる摺動ガイドの他に、取付板３に切起し部を設け、その切起し部によって連結杆６を摺動可能にガイド保持させることもできる。さらに、連結杆６の中間部には係合部６ａが設けられ、この係合部６ａは、後述のシリンダ錠ユニット１１のシリンダ錠１７の錠軸に固定される係合部材１８上の係合凸部１８ａと係合可能とされる。連結杆６と取付板３の間には、コイルばね８が架け渡され、コイルばね８は連結杆６を上方につまり施錠方向に付勢している。
【００１８】
一方、前扉３０に取り付けられるシリンダ錠ユニット１１は、図５〜図７に示すように、基枠体１２の取付板１３の略中央部に、シリンダ錠１７を取り付けて構成されている。基枠体１２は、細いＬ型のフレーム状に形成され、その正面側に取付板１３が形成され、中央部の取付板が幅広に形成されて取付折曲部とされ、この取付折曲部にシリンダ錠１７が取り付けられる。基枠体１２は全体として取付板１３を主体として薄形に形成され、その上部に受け金具としての係止部１４が形成され、下部に係止部１５が形成されている。この係止部１４，１５は、前扉３０を閉鎖したとき、鉤部材ユニット１の鉤部材４，５が係止され、その鉤部材４，５の対応位置に配置される。
【００１９】
シリンダ錠１７は円筒の元部にフランジを設けて形成され、取付板１３にはその円筒を挿入可能な孔が形成され、その孔にシリンダ錠１７を外側から挿入し、内側でフランジをねじ止めして固定される。シリンダ錠１７の内側に突出した錠軸には、カム形状の係合部材１８が固定され、係合部材１８上の縁部には上記連結杆６の係合部６ａと係合可能な係合凸部１８ａが突設されている。
【００２０】
また、係合部材１８には、後述の非接触スイッチ１０をスイッチングさせるための作動片１８ｂが設けられる。非接触スイッチ１０は、シリンダ錠１７の近傍の取付板１３上に取り付けられ、光電スイッチ、近接スイッチなどの非接触スイッチから構成される。この非接触スイッチ１０は、ゲームのリセットスイッチなどとして使用されるもので、シリンダ錠１７の操作により作動片１８ｂが非接触スイッチ１０の内側に挿入してスイッチング作動させる。
【００２１】
さらに、シリンダ錠ユニット１１の正面側のシリンダ錠１７の下側に、前扉３０の下部に開閉可能に配設される下パネル３１を施錠するための下パネル施錠部材２０が配設されている。この下パネル施錠部材２０は板状に形成され、上部と下部にフック状の鉤部２１，２２が前面に向けて且つフックを上側に向けて突設される。図６に示すように、シリンダ錠ユニット１１の基枠体１２の取付板１３には、その中央から下部寄りの正面側に、突出部が設けられ、その突出部に下パネル施錠部材２０がピンとガイド孔の嵌合により上下摺動可能に保持されている。
【００２２】
また、図５に示すように、下パネル施錠部材２０と取付板１３との間にはコイルばね２４が装着され、下パネル施錠部材２０はコイルばね２４により上方の施錠側に付勢されている。さらに、下パネル施錠部材２０の下部に解錠操作用の操作部２３が内側に曲折して設けられ、この操作部２３を押し下げて下パネル施錠部材２０を下方に摺動させることにより、下パネル３１の解錠操作が行なわれる。
【００２３】
一方、取付板１３の下部には、ローラ用の支持板９が略水平に設けられ、前扉３０の閉鎖時にシリンダ錠ユニット１１側のローラ１９が支持板９上に乗り上げ、それを支持するようにしている。
【００２４】
上記のように構成された施錠装置の鉤部材ユニット１は、図８〜図１１に示すように、ゲーム機の筐体２８の内側の縦枠部分に、その取付板３を側壁に当て、その曲折縁部３ａを筐体２８の前縁部から少し前に出すようにして、且つ鉤部材４、５を前扉３０側に向けて取付けられる。
【００２５】
一方、シリンダ錠ユニット１１は、図８〜図１１に示すように、前扉３０の内側にその基枠体１２の取付板１３を固定して取り付けられる。このとき、基枠体１２の上部と下部に突設した係止部１４，１５は、上記鉤部材ユニット１側の鉤部材４、５に対向した位置に配置される。また、シリンダ錠１７の錠軸に固定した係合部材１８の係合凸部１８ａが、鉤部材ユニット１側の連結杆６の係合部６ａの真上位置に、前扉３０の閉鎖時に進入するように配置される。また、前扉３０の下部には下パネル３１がヒンジを介して開閉可能に装着され、その下パネル３１の自由端側の内側には、図１０に示すように、係止部３２，３３が設けられ、下パネル施錠部材２０の鉤部２１，２２が閉鎖時にその係止部３２，３３に係止可能である。さらに、基枠体１２の下端部に設けたローラ１９は、鉤部材ユニット２側の支持板９に対応した位置に位置し、前扉３０の閉鎖時の支持板９上に乗り上げるように配置される。
【００２６】
このように、ゲーム機の筐体２８の内壁に鉤部材ユニット１が取り付けられるが、鉤部材ユニット１の基枠体２は取付板３を主体に薄形に形成されているために、筐体２８の内壁付近の非常に狭いスペースに装着することができる。また、取付板３の曲折縁部３ａは、前扉３０の閉鎖時、前扉３０と筐体２８との隙間を塞ぐように作用し、針金などを差し込んで行う不正解錠を防止できる。
【００２７】
さらに、前扉３０にシリンダ錠ユニット１１が取り付けられるが、その基枠体１２にはシリンダ錠１７、係合部材１８、及び係止部１４，１５が取り付けられるだけであるため、従来の施錠装置のように受け金具以外の全ての部材を取り付けた施錠装置本体を前扉の内側に取り付ける場合に比べ、シリンダ錠ユニット１１の大きさ及び重さを、小形でより軽量とすることができる。これにより、前扉３０の全重量を軽量化することができる。また、シリンダ錠ユニット１１の基枠体１２も、上記と同様に、取付板１３を主体に薄く形成することにより、前扉３０における施錠装置を取り付けるためのスペースを最小とすることができる。
【００２８】
図９〜図１１に示すように、ゲーム機の前扉３０を閉じると、前扉３０側のシリンダ錠ユニット１１の上下の係止部１４，１５の上縁部が、筐体２８側の鉤部材ユニット１の上下の鉤部材４、５に当たり、鉤部材４，５がコイルばね８の付勢力に抗して上側に傾動し、鉤部材４，５の係合凹部に係止部の縁部が入ったところで、コイルばね８の付勢力によって鉤部材４，５が水平位置に戻り、その係止部１４，１５に係止される。このとき、前扉３０側のシリンダ錠ユニット１１のローラ１９が、筐体２８側の鉤部材ユニット１１の支持板９に乗り上げ、これにより前扉３０が支持板９から持上げ力を付与され、重量のある前扉であってその位置が下方にずれた状態でも、適正位置に持ち上げられて、閉鎖される。
【００２９】
前扉３０を解錠する場合は、図１２（ａ）から（ｂ）に示すように、前扉３０のシリンダ錠７にキーを差し込み、シリンダ錠１７の錠軸を右側に回すと、係合部材１８が同方向に回転し、その係合部材１８の係合凸部１８ａが、鉤部材ユニット１側の連結杆６の係合部６ａを押し上げるように動作して連結杆６を上方に摺動させる。これにより、上下の鉤部材４、５が軸ピン４ｂ、５ｂを軸に上方に傾動し、前扉３０側のシリンダ錠ユニット１の係止部１４，１５との係合が外れ、前扉３０は解錠される。
【００３０】
前扉３０が開いた状態で、前扉３０の内側に位置する操作部２３を押し下げて下パネル施錠部材２０をコイルばね２４の付勢力に抗して下に摺動させると、下パネル施錠部材２０の鉤部２１，２２が下に摺動して、下パネル３１の内側に設けた係止部３２，３３との係合が外れる。これにより、下パネル３１が解錠され、前扉３０に対し下パネル３１を開き、保守点検などを行なうことができる。
【００３１】
一方、ゲーム機のリセット操作を行なう際には、シリンダ錠１７の鍵穴にキーを差し込み、キーを左側に回して係合部材１８を同方向に回動させる。このとき、係合部材１８の作動片１８ｂが非接触スイッチ１０の検出部（挿入空間）に進入し、非接触スイッチ１０がスイッチング動作を行って、ゲーム機にリセット信号を発生させる。
【００３２】
【発明の効果】
以上説明したように、本発明のゲーム機の施錠装置によれば、ゲーム機の前扉にシリンダ錠ユニットを取り付け、その筐体に連結杆と鉤部材を備えた鉤部材ユニットを取り付けるため、従来の施錠装置のように受け金具以外の全ての部材を取り付けた施錠装置本体を前扉の内側に取り付ける場合に比べ、シリンダ錠ユニットの大きさ及び重さを、小形でより軽量とすることができる。これにより、前扉の全重量を軽量化することができる。
【００３３】
また、請求項２のように、鉤部材ユニットの基枠体は、取付板を主体にして薄形に形成することができ、これにより、筐体内における施錠装置を取り付けるためのスペースを最小とし、筐体内の施錠装置のためのスペースを削減して、電気部品などを余裕を持って筐体内に配置することができる。
【図面の簡単な説明】
【図１】本発明の一実施形態を示す鉤部材ユニットの正面図である。
【図２】同鉤部材ユニットの左側面図である。
【図３】同装鉤部材ユニットの右側面図である。
【図４】同装鉤部材ユニットの分解図である。
【図５】シリンダ錠ユニットの正面図である。
【図６】同シリンダ錠ユニットの左側面図である。
【図７】同シリンダ錠ユニットの背面図である。
【図８】施錠装置を取り付けたゲーム機の一部切り欠き正面図である。
【図９】施錠装置を取り付けたゲーム機の閉鎖状態の左側面図である。
【図１０】施錠装置を取り付けたゲーム機の閉鎖状態の左側面図である。
【図１１】施錠装置を取り付けたゲーム機の開放状態の右側面図である。
【図１２】（ａ）は施錠時の係合部材１８と係合部６ａの関係を示す部分拡大図、（ｂ）は解錠時の係合部材１８と係合部６ａの関係を示す部分拡大図である。
【符号の説明】
１−鉤部材ユニット
２−基枠体
３−取付板
３−曲折縁部
４，５−鉤部材
６−連結杆
６ａ−係合部
１１−シリンダ錠ユニット
１２−基枠体
１３−取付板
１４，１５−係止部
１７−シリンダ錠
１８−係合部材
１８ａ―係合凸部
２８−筐体
３０−前扉
【図１】
2004337415.tif 000003
【図２】
2004337415.tif 000004
【図３】
2004337415.tif 000005
【図４】
2004337415.tif 000006
【図５】
2004337415.tif 000007
【図６】
2004337415.tif 000008
【図７】
2004337415.tif 000009
【図８】
2004337415.tif 000010
【図９】
2004337415.tif 000011
【図１０】
2004337415.tif 000012
【図１１】
2004337415.tif 000013
【図１２】
2004337415.tif 000014